(57)【要約】【課題】触媒燃焼器に内蔵される触媒の劣化を適切に判定する燃料電池システムを提供する。【解決手段】燃料電池スタック１０と、燃料電池スタック１０を経由するように冷媒を通流させる冷媒通流手段と、燃料混合ガスを触媒燃焼反応させる触媒を有し、触媒燃焼反応により生成する熱で、燃料電池スタック１０に向かう冷媒を加熱する触媒燃焼器７０と、触媒燃焼器７０の触媒温度Ｔｓを検出する温度センサ７３と、を備え、システム起動時に、触媒燃焼器７０を運転して燃料電池スタック１０を暖機する燃料電池システム１であって、触媒燃焼器７０の暖機が完了したか否かを判定する暖機完了判定手段と、暖機は完了したと判定した後、触媒温度Ｔｓに基づいて、触媒が異常であるか否か判定する異常判定手段と、異常であると判定した場合、異常判定の後、触媒温度Ｔｓに基づいて、触媒の劣化を判定する劣化判定手段と、を備える。【選択図】図１
2010080278.tif 000002
【特許請求の範囲】
【請求項１】
燃料電池と、
前記燃料電池を経由するように冷媒を通流させる冷媒通流手段と、
燃料ガスを触媒燃焼反応させる触媒を有し、当該触媒燃焼反応により生成する熱で、前記燃料電池に向かう冷媒を加熱する触媒燃焼器と、
前記触媒燃焼器の触媒の温度を検出する温度検出手段と、を備え、システム起動時に、前記触媒燃焼器を運転して前記燃料電池を暖機する燃料電池システムであって、
前記触媒燃焼器の暖機が完了したか否かを判定する暖機完了判定手段と、
前記暖機完了判定手段が暖機は完了したと判定した後、前記触媒の温度に基づいて、当該触媒が異常であるか否か判定する異常判定手段と、
前記異常判定手段が異常であると判定した場合、当該異常判定の後、前記触媒の温度に基づいて、当該触媒の劣化を判定する劣化判定手段と、
を備えることを特徴とする燃料電池システム。
【請求項２】
前記触媒燃焼器への燃料ガスの流量を制御する流量制御手段を備え、
前記異常判定手段が異常であると判定した場合、前記流量制御手段は、前記異常判定手段が異常でないと判定する通常時に対して、燃料ガスの流量を減少する
ことを特徴とする請求項１に記載の燃料電池システム。
【請求項３】
前記流量制御手段が流量を減少した後において、
前記触媒の温度が、当該触媒が解氷したとされる解氷温度以上になった場合、前記劣化判定手段は前記触媒が劣化していないと判定し、前記流量制御手段は流量の減少を解除する
ことを特徴とする請求項２に記載の燃料電池システム。
【請求項４】
前記流量制御手段が流量を減少した後において、
前記触媒の温度が、当該触媒が解氷したとされる解氷温度よりも低い場合、前記劣化判定手段は前記触媒が劣化していると判定し、前記流量制御手段は燃料ガスの流量をさらに減少させる
ことを特徴とする請求項２又は請求項３に記載の燃料電池システム。
【発明の詳細な説明】
【技術分野】
【０００１】
本発明は、燃料電池システムに関する。
【背景技術】
【０００２】
近年、水素（燃料ガス）がアノードに、酸素（酸化剤ガス）がカソードに、それぞれ供給されることで、電気化学反応が生じ発電する固体高分子型燃料電池（Polymer Electrolyte Fuel Cell：ＰＥＦＣ）等の燃料電池の開発が盛んである。燃料電池は、その発電電力によって走行する燃料電池自動車や、家庭用電源など広範囲で適用されつつあり、今後もその適用範囲の拡大が期待されている。
【０００３】
このような燃料電池を良好に発電させるには、アノード及びカソードにおける電極反応が良好に進むように、アノード等に含まれる触媒等に依存する好適発電温度（ＰＥＦＣの場合、７０〜８０℃）に暖機することが好ましい。そこで、水素（燃料ガス）及び酸素を含む空気（酸化剤ガス）が混合されてなる燃料（混合）ガスを、触媒燃焼器で触媒燃焼反応させて燃焼熱を発生し、この燃焼熱を利用して燃料電池を暖機する燃料電池システムが提案されている（特許文献１参照）。
【０００４】
ところが、触媒燃焼器に内蔵される触媒は、使用により劣化する。そして、このように触媒が劣化すると、燃料ガスが未燃焼のまま触媒燃焼器を通り抜けてしまう。そこで、触媒の温度に基づいて、触媒の劣化を判定する技術が提案されている（特許文献２参照）。
【０００５】
【特許文献１】特開２０００−１６４２３３号公報
【特許文献２】特開平６−３３１１３５号公報
【発明の開示】
【発明が解決しようとする課題】
【０００６】
ところが、車両等の移動体に搭載される燃料電池システムでは、例えば、システム停止中に低温環境下に曝されると、触媒燃焼反応により生成した水分（水蒸気）や、外気中の水分が触媒に吸着し、触媒表面が凍結する虞がある。そして、システム起動時において、このように触媒表面が凍結した触媒燃焼器に、燃料ガスを供給すると、凍結により良好に触媒燃焼反応させることができず、触媒の温度が上昇しないと共に、燃料ガスの反応効率が低下する。したがって、触媒の温度に基づいて判定する特許文献２の技術では、凍結により触媒温度が上昇していないにも関わらず、触媒は劣化していると誤って判定する虞がある。
【０００７】
そこで、本発明は、触媒燃焼器に内蔵される触媒の劣化を適切に判定する燃料電池システムを提供することを課題とする。
【課題を解決するための手段】
【０００８】
前記課題を解決するための手段として、本発明は、燃料電池と、前記燃料電池を経由するように冷媒を通流させる冷媒通流手段と、燃料ガスを触媒燃焼反応させる触媒を有し、当該触媒燃焼反応により生成する熱で、前記燃料電池に向かう冷媒を加熱する触媒燃焼器と、前記触媒燃焼器の触媒の温度を検出する温度検出手段と、を備え、システム起動時に、前記触媒燃焼器を運転して前記燃料電池を暖機する燃料電池システムであって、前記触媒燃焼器の暖機が完了したか否かを判定する暖機完了判定手段と、前記暖機完了判定手段が暖機は完了したと判定した後、前記触媒の温度に基づいて、当該触媒が異常であるか否か判定する異常判定手段と、前記異常判定手段が異常であると判定した場合、当該異常判定の後、前記触媒の温度に基づいて、当該触媒の劣化を判定する劣化判定手段と、を備えることを特徴とする燃料電池システムである。
【０００９】
このような燃料電池システムによれば、触媒燃焼器の暖機完了後、異常判定手段によって、触媒が異常であると判定した場合、劣化判定手段が、触媒の温度に基づいて、触媒が劣化しているか否か適切に判定できる。
すなわち、触媒が劣化又はその表面が凍結していることにより、異常であると判定され、例えば、所定時間（後記する実施形態では解氷時間Δｔ２）経過後、触媒の温度が所定温度（後記する実施形態では解氷温度Ｔｓ２）以上となった場合や、触媒の温度が上昇した場合、触媒は劣化しておらず、凍結が解氷したと判定できる。逆に、前記所定時間が経過しても前記所定温度よりも低い場合や、触媒の温度が上昇しない場合、触媒は劣化していると判定できる。
【００１０】
また、前記触媒燃焼器への燃料ガスの流量を制御する流量制御手段を備え、前記異常判定手段が異常であると判定した場合、前記流量制御手段は、前記異常判定手段が異常でないと判定する通常時に対して、燃料ガスの流量を減少することを特徴とする燃料電池システムである。
【００１１】
このような燃料電池システムによれば、異常判定手段が異常であると判定した場合、流量制御手段は、異常判定手段が異常でないと判定する通常時に対して、燃料ガスの流量を減少する。これにより、劣化判定手段が、触媒の温度に基づいて、触媒が劣化しているか否かについて、さらに適切に判定できる。
なぜなら、燃料ガスの流量を減少した場合において、触媒が劣化していると、触媒の温度が顕著に低下し、その後に上昇することはないが、触媒は劣化しておらず、その表面が凍結している場合、一旦、触媒の温度が低下するものの、その後、燃焼熱によって解氷し、触媒の温度が上昇するからである。
【００１２】
また、前記流量制御手段が流量を減少した後において、前記触媒の温度が、当該触媒が解氷したとされる解氷温度以上になった場合、前記劣化判定手段は前記触媒が劣化していないと判定し、前記流量制御手段は流量の減少を解除することを特徴とする燃料電池システムである。
【００１３】
このような燃料電池システムによれば、燃料ガスの流量の減少後、触媒の温度が、触媒が解氷したとされる解氷温度以上になった場合、劣化判定手段は前記触媒が劣化していないと判定し、流量制御手段は流量の減少を解除するので、触媒燃焼反応を効率的に進行させ、燃料電池を速やかに暖機できる。
【００１４】
また、前記流量制御手段が流量を減少した後において、前記触媒の温度が、当該触媒が解氷したとされる解氷温度よりも低い場合、前記劣化判定手段は前記触媒が劣化していると判定し、前記流量制御手段は燃料ガスの流量をさらに減少させることを特徴とする燃料電池システムである。
【００１５】
このような燃料電池システムによれば、燃料ガスの流量の減少後、触媒の温度が、触媒が解氷したとされる解氷温度よりも低い場合、劣化判定手段は触媒が劣化していると判定し、流量制御手段は燃料ガスの流量をさらに減少させるので、多量の燃料ガスが触媒燃焼器を通り抜けることを防止できる。
【発明の効果】
【００１６】
本発明によれば、触媒燃焼器に内蔵される触媒の劣化を適切に判定する燃料電池システムを提供することができる。
【発明を実施するための最良の形態】
【００１７】
以下、本発明の一実施形態について、図１から図５を参照して説明する。
【００１８】
≪燃料電池システムの構成≫
図１に示す本実施形態に係る燃料電池システム１は、図示しない燃料電池自動車（移動体）に搭載されている。燃料電池システム１は、燃料電池スタック１０と、燃料電池スタック１０のアノードに対して水素（燃料ガス）を給排するアノード系と、燃料電池スタック１０のカソードに対して酸素を含む空気（酸化剤ガス）を給排するカソード系と、燃料電池スタック１０の発電電力を消費等する電力消費系と、燃料電池スタック１０を経由するように冷媒を循環（通流）させる冷媒循環系（冷媒通流手段）と、循環する冷媒を加熱する冷媒加熱系と、ＩＧ８１（イグニッション）と、これらを電子制御するＥＣＵ９０（Electronic Control Unit、電子制御装置）と、を備えている。
【００１９】
＜燃料電池スタック＞
燃料電池スタック１０は、複数（例えば２００〜４００枚）の固体高分子型の単セルが積層して構成されたスタックであり、複数の単セルは直列で接続されている。単セルは、ＭＥＡ（Membrane Electrode Assembly：膜電極接合体）と、これを挟む２枚の導電性を有するセパレータと、を備えている。ＭＥＡは、１価の陽イオン交換膜等からなる電解質膜（固体高分子膜）と、これを挟むアノード及びカソード（電極）とを備えている。
【００２０】
アノード及びカソードは、カーボンペーパ等の導電性を有する多孔質体から主に構成されると共に、アノード及びカソードにおける電極反応を生じさせるための触媒（Ｐｔ、Ｒｕ等）を含んでいる。
【００２１】
各セパレータには、各ＭＥＡの全面に水素又は空気を供給するための溝や、全単セルに水素又は空気を給排するための貫通孔が形成されており、これら溝及び貫通孔がアノード流路１１（燃料ガス流路）、カソード流路１２（酸化剤ガス流路）として機能している。そして、アノード流路１１を介して各アノードに水素が供給され、カソード流路１２を介して各カソードに空気が供給されると、電極反応が起こり、各単セルで電位差（ＯＣＶ（Open Circuit Voltage）、開回路電圧）が発生するようになっている。次いで、ＯＣＶが所定ＯＣＶ以上となった状態で、発電要求があり、後記するコンタクタ４３がＯＮされ、ＶＣＵ４２が制御され、電流が取り出されると、燃料電池スタック１０が発電するようになっている。
【００２２】
また、各セパレータには、単セルを適宜に冷却するために冷媒が通流する溝や貫通孔が形成されており、これら溝及び貫通孔が、燃料電池スタック１０の冷媒流路１３として機能している。
【００２３】
＜アノード系＞
アノード系は、水素タンク２１と、常閉型の遮断弁２２とを備えている。
水素タンク２１は、配管２１ａ、遮断弁２２、配管２２ａを介して、アノード流路１１の入口に接続されている。そして、ＥＣＵ９０からの指令によって遮断弁２２が開かれると、水素が、水素タンク２１から、遮断弁２２等を経由して、アノード流路１１に供給されるようになっている。
【００２４】
アノード流路１１の出口は、配管２２ｂを介して、後記する希釈器３４に接続されている。そして、アノード流路１１から排出された未消費の水素を含むアノードオフガスが、希釈器３４に排出されるようになっている。
【００２５】
＜カソード系＞
カソード系は、コンプレッサ３１と、加湿器３２と、背圧弁３３と、希釈器３４とを備えている。
コンプレッサ３１は、配管３１ａ、加湿器３２、配管３２ａを介して、カソード流路１２の入口に接続されており、ＥＣＵ９０の指令に従って作動すると、酸素を含む空気を取り込み、カソード流路１２に供給するようになっている。加湿器３２は、その内部に水分透過性を有する中空糸膜を備えており、コンプレッサ３１からカソード流路１２に向かう空気と、カソード流路１２から排出された水蒸気を含む多湿のカソードオフガスとの間で水分交換し、コンプレッサ３１からカソード流路１２に向かう空気を加湿するようになっている。
【００２６】
カソード流路１２の出口は、配管３２ｂ、加湿器３２、配管３３ａ、背圧弁３３、配管３３ｂを介して、希釈器３４に接続されている。そして、カソード流路１２から排出されたカソードオフガスが希釈器３４に供給されるようになっている。
背圧弁３３は、例えばバラフライ弁から構成された常開型の弁であり、その開度はＥＣＵ９０により適宜に制御される。
【００２７】
希釈器３４は、アノード系からのアノードオフガスと、カソード流路１２からのカソードオフガスとを混合し、アノードオフガス中の水素を希釈する機器であり、これらガスを混合し、水素を希釈するための希釈空間を備えている。そして、希釈された後のガスは、配管３４ａを通って、車外（外部）に排出されるようになっている。
【００２８】
＜電力消費系＞
電力消費系は、燃料電池スタック１０の発電電力を消費等する系であって、モータ４１と、ＶＣＵ４２（Voltage Control Unit）と、コンタクタ４３とを備えている。モータ４１は、燃料電池自動車の動力源となる電動モータであって、三相交流電流を発生させるＰＤＵ（Power Drive Unit、図示しない）、ＶＣＵ４２、コンタクタ４３を順に介して、燃料電池スタック１０の出力端子に接続されている。ＶＣＵ４２は、燃料電池スタック１０の出力電力（電流、電圧）を制御する機器であって、ＤＣ／ＤＣチョッパ等を備えている。コンタクタ４３は、燃料電池スタック１０とＶＣＵ４２及びモータ４１との電気的接続をＯＮ／ＯＦＦするスイッチである。
【００２９】
そして、ＥＣＵ９０がコンタクタ４３をＯＮした状態で、図示しないアクセル等からの発電要求量に応じてＶＣＵ４２を制御すると、燃料電池スタック１０から電流が取り出され、燃料電池スタック１０が発電し、モータ４１が回転するようになっている。
【００３０】
その他、電力消費系は、蓄電装置や、これに充放電される電力を昇降圧するＤＣ／ＤＣコンバータ等（いずれも図示しない）を備えている。蓄電装置は、燃料電池スタック１０の余剰発電電力や、モータ４１からの回生電力を蓄えたり、燃料電池スタック１０の発電電力が低い場合、その充電電力を放電し燃料電池スタック１０を補助するものである。
また、コンプレッサ３１、冷媒ポンプ５１、遮断弁２２、後記する水素導入弁６１、インジェクタ６２及び空気導入弁６３等も電力消費系に含まれ、前記蓄電装置及び／又は燃料電池スタック１０を電源として作動する。
【００３１】
＜冷媒循環系＞
冷媒循環系は、燃料電池スタック１０の冷媒流路１３を経由するように、エチレングリコール等の冷媒を循環させる系であって、冷媒ポンプ５１と、温度センサ５２（燃料電池温度検出手段）とを備えている。
【００３２】
冷媒流路１３の出口は、配管５１ａ、冷媒ポンプ５１、配管５１ｂ、後記する冷媒管７７、配管５１ｃを介して、冷媒流路１３の入口に接続されている。そして、冷媒ポンプ５１がＥＣＵ９０の指令に従って作動すると、冷媒が燃料電池スタック１０を経由しつつ循環するようになっている。
なお、配管５１ａには、冷媒の温度が所定温度以上である場合に開くサーモスタット（図示しない）が設けられている。そして、このサーモスタットが開いた場合、高温の冷媒がラジエータ（図示しない）に導入され、このラジエータで冷却された後、配管５１ａに戻るようになっている。
【００３３】
温度センサ５２は、冷媒流路１３から排出された直後の冷媒の温度を、燃料電池スタック１０の温度Ｔｗとして検出するセンサであり、配管５１ａに設けられている。そして、温度センサ５２は、検出した燃料電池スタック１０の温度ＴｗをＥＣＵ９０に出力するようになっている。
ただし、燃料電池スタック１０の温度Ｔｗを検出する温度センサ５２の位置はこれに限定されず、例えば、配管２２ｂや配管３２ｂに取り付けられた構成でもよい。
【００３４】
＜冷媒加熱系＞
冷媒加熱系は、システム起動時に、循環する冷媒を介して燃料電池スタック１０を暖機（加熱）する系であって、常閉型の水素導入弁６１と、インジェクタ６２と、常閉型の空気導入弁６３と、ミキサ６４（混合器）と、触媒燃焼器７０とを備えている。
【００３５】
空気導入弁６３の上流側は配管６３ａを介して配管３１ａに接続されており、空気導入弁６３の下流側は配管６３ｂを介してミキサ６４に接続されている。そして、コンプレッサ３１の作動中、空気導入弁６３がＥＣＵ９０によって開かれると、酸素を含む空気（酸化剤ガス）がミキサ６４に導入されるようになっている。
【００３６】
水素導入弁６１の上流側は配管６１ａを介して配管２１ａに接続されており、水素導入弁６１の下流側は配管６１ｂを介してインジェクタ６２に接続されており、インジェクタ６２は配管６３ｂの途中に設けられている。そして、ＥＣＵ９０からの指令によって水素導入弁６１が開かれ、インジェクタ６２が適宜に開かれると、水素（燃料ガス）がインジェクタ６２から配管６３ｂ内に吐出され、配管６３ｂを通る空気と共に、ミキサ６４に導入されるようになっている。
【００３７】
ミキサ６４は、これに導入される水素及び空気を混合し、燃料混合ガス（燃料ガス）を生成する機器であり、その内部に混合空間を有している。よって、ミキサ６４は、水素及び空気を適切に混合するべく、水素等を拡散するためのリブ等の拡散手段を備えることが好ましい。そして、燃料混合ガスは、配管６４ａを介して触媒燃焼器７０の触媒部７１に供給されるようになっている。
【００３８】
したがって、インジェクタ６２からの水素の吐出量、コンプレッサ３１からの空気の吐出量を適宜に制御することで、触媒燃焼器７０への燃料混合ガスの流量及び水素と空気との混合比が制御される。よって、本実施形態において、触媒燃焼器７０への燃料混合ガスの流量を制御する流量制御手段は、インジェクタ６２と、コンプレッサ３１と、これらを制御するＥＣＵ９０と備えて構成されている。
【００３９】
触媒燃焼器７０は、燃料混合ガスを触媒下で触媒燃焼反応させ、その燃焼熱によって、冷媒を介して燃料電池スタック１０を暖機（加熱）する機器であり、触媒部７１と熱交換部７６とを備えている。
【００４０】
触媒部７１は、触媒部本体７２と、温度センサ７３とを備えている。
触媒部本体７２は、コージエライト等から形成され、燃料混合ガスが導入される複数の細孔を有するハニカム体と、前記各細孔を取り囲む壁面に担持されたＰｔ、Ｒｕ等の触媒とを備えている。そして、燃料混合ガスが触媒部本体７２に供給されると、水素及び酸素が触媒下で触媒燃焼反応し、燃焼熱を帯びた高温の排ガスを生成し、この高温の排ガスが熱交換部７６に供給されるようになっている。
また、触媒部７１は、システム起動時において、触媒の暖機を促進するため適宜に作動するグロープラグ（図示ししない）を備えている。
【００４１】
温度センサ７３は、触媒部本体７２から熱交換部７６に向かう排ガスの温度を、触媒部本体７２の触媒の温度（触媒温度Ｔｓ）として検出するセンサである。そして、温度センサ７３は、検出した触媒温度ＴｓをＥＣＵ９０に出力するようになっている。
【００４２】
熱交換部７６は、配管５１ｂからの冷媒が通流する冷媒管７７を内蔵し、冷媒と高温の排ガスとの間で熱交換し、冷媒を加熱する部分である。なお、冷媒管７７の入口には配管５１ｂが接続されており、冷媒管７７の出口には配管５１ｃが接続されている。
そして、加熱された冷媒は、配管５１ｃを通り、冷媒流路１３を通流する際に燃料電池スタック１０を暖めるようになっている。
【００４３】
また、熱交換部７６の下流側は、配管６４ｂを介して、配管３４ａに接続されており、熱交換後の排ガスは、配管６４ｂ、配管３４ａを通り、車外に排出されるようになっている。
【００４４】
すなわち、触媒部７１内は、熱交換部７６、配管６４ｂ、配管３４ａを介して、車外と連通している。よって、車外の多湿な空気が、配管３４ａ、配管６４ｂ、熱交換部７６を通って、触媒部７１内に侵入する可能性がある。ゆえに、停止中の燃料電池システム１が低温環境下（例えば０℃未満）に曝された場合、車外から侵入した水蒸気や、触媒燃焼反応で生成後、残留する水蒸気が、触媒部本体７２に装填された触媒の表面に吸着し、凍結する場合がある。
なお、このように触媒の表面で凍結すると、次回システム起動時において、触媒燃焼器７０に燃料混合ガスを供給しても、触媒燃焼反応が好適に進行せず、触媒温度Ｔｓが良好に上昇せず、また、燃料混合ガスがそのまま触媒燃焼器７０を通り抜け、車外に排出されてしまう。
【００４５】
＜その他機器＞
ＩＧ８１は、燃料電池自動車及び燃料電池システム１の起動スイッチであり、運転席周りに設けられている。また、ＩＧ８１はＥＣＵ９０と接続されており、ＥＣＵ９０はＩＧ８１のＯＮ／ＯＦＦ信号を検知するようになっている。
【００４６】
＜ＥＣＵ＞
ＥＣＵ９０は、燃料電池システム１を電子制御する制御装置であり、ＣＰＵ、ＲＯＭ、ＲＡＭ、各種インタフェイス、電子回路などを含んで構成されており、その内部に記憶されたプログラムに従って、各種機器を制御し、各種処理を実行するようになっている。
【００４７】
＜ＥＣＵ−暖機完了判定機能＞
また、ＥＣＵ９０（暖機完了判定手段）は、システム起動時において触媒燃焼器７０の運転を開始した後、触媒燃焼器７０の暖機が完了したか否か判定する機能を備えている。
【００４８】
＜ＥＣＵ−異常判定機能＞
さらに、ＥＣＵ９０（異常判定手段）は、触媒燃焼器７０の暖機完了後において、触媒温度Ｔｓに基づいて、触媒燃焼器７０に装填される触媒が異常であるか否か判定する機能を備えている。
【００４９】
＜ＥＣＵ−劣化判定機能＞
さらにまた、ＥＣＵ９０（劣化判定手段）は、触媒が異常であると判定した後において、触媒温度Ｔｓに基づいて、触媒燃焼器７０に装填される触媒が劣化しているか否か判定する機能を備えている。
【００５０】
≪燃料電池システムの動作≫
次に、図２を参照して、燃料電池システム１の動作を、ＥＣＵ９０に設定されたプログラム（フローチャート）の流れと共に説明する。
なお、ＩＧ８１がＯＮされると、図２のフローチャートに示す処理がスタートする。また、ＩＧ８１のＯＮ前（初期状態）において、コンプレッサ３１及び冷媒ポンプ５１は停止している。遮断弁２２、背圧弁３３、水素導入弁６１及び空気導入弁６３は閉じており、コンタクタ４３はＯＦＦされている。
【００５１】
ステップＳ１０１において、ＥＣＵ９０は、触媒燃焼器７０を運転させて、燃料電池スタック１０を暖機する必要があるか否か判定する。
具体的には、燃料電池スタック１０の温度Ｔｗが暖機必要温度Ｔｗ０未満である場合、暖機をする必要があると判定される。暖機必要温度Ｔｗ０は、燃料電池スタック１０の温度Ｔｗがこの温度未満である場合、燃料電池スタック１０内が凍結している虞があり、燃料電池スタック１０を暖機する必要があると判断される温度である。
その他に例えば、システム停止中に低温環境下（０℃以下）曝されたことにより、燃料電池スタック１０が掃気されている場合、システム起動時における燃料電池スタック１０の温度Ｔｗに関わらず、暖機する必要があると判定する構成としてもよい。
【００５２】
燃料電池スタック１０を暖機する必要があると判定した場合（Ｓ１０１・Ｙｅｓ）、ＥＣＵ９０の処理はステップＳ１０２に進む。一方、燃料電池スタック１０を暖機する必要はないと判定した場合（Ｓ１０１・Ｎｏ）、ＥＣＵ９０の処理はステップＳ１１２に進む。
【００５３】
＜暖機モード＞
ステップＳ１０２において、ＥＣＵ９０は、触媒燃焼器７０への燃料混合ガスの供給を開始する。すなわち、ＥＣＵ９０は、触媒燃焼器７０（燃料電池システム１）を暖機モードで運転、つまり、触媒燃焼器７０の運転を開始し、触媒燃焼器７０を暖機する。
具体的には、ＥＣＵ９０は、空気導入弁６３を開き、コンプレッサ３１を作動させると共に、水素導入弁６１を開き、インジェクタ６２を作動させ、水素を吐出する。これにより、水素及び空気がミキサ６４に導入され、ミキサ６４で燃料混合ガスが生成され、この燃料混合ガスが触媒燃焼器７０の触媒部本体７２に供給される。この場合において、暖機の初期段階では、触媒部７１に内蔵されるグロープラグ（図示しない）等によって、触媒燃焼反応を促進することが好ましい。
なお、触媒燃焼器７０に空気を先行して供給し、触媒燃焼器７０内の結露水等を押し出す準備モードで運転した後、暖機モードに移行して、水素を吐出し、燃料混合ガスを供給することが望ましい（図３〜図５参照）。
【００５４】
そうすると、燃料混合ガス中の水素と酸素とが、触媒部本体７２の触媒下で触媒燃焼反応し、燃焼熱を帯びた排ガスを生成する。そして、この燃料熱により、触媒部本体７２が暖機され、触媒温度Ｔｓが上昇し始める。また、燃焼熱を帯びた高温の排ガスは、熱交換部７６に供給される。
なお、このように触媒部本体７２（触媒燃焼器７０）を暖機する場合における燃料混合ガスの流量、水素と空気との混合比は、事前試験等に基づいて、多量の水素が触媒部７１を通り抜けないように設定される。
【００５５】
これに並行して、ＥＣＵ９０は、冷媒ポンプ５１を作動させる。そうすると、冷媒が、熱交換部７６及び燃料電池スタック１０経由で循環する。これにより、冷媒管７７を通流することで排ガスにより暖められた冷媒が、燃料電池スタック１０を暖め始め、燃料電池スタック１０の温度Ｔｗが上昇し始める。
【００５６】
＜暖気完了判定＞
ステップＳ１０３において、ＥＣＵ９０は、触媒燃焼器７０の暖機が完了したか否か判定する。
具体的には、ＥＣＵ９０は、例えば、ステップＳ１０２における燃料混合ガスの供給後、暖機完了時間Δｔ１が経過した場合、触媒燃焼器７０の暖機は完了したと判定する。暖気完了時間Δｔ１は、触媒燃焼器７０の暖機が十分に完了する時間であり、詳細には、表面が凍結してなく、かつ、劣化していない正常な触媒が、暖機完了時間Δｔ１を経過すれば、触媒温度Ｔｓがその触媒機能を好適に発揮可能な温度となる時間に設定される。また、このような暖気完了時間Δｔ１は、事前試験等により求められ、ＥＣＵ９０に記憶されている。この他、暖機完了時間Δｔ１を可変、つまり、システム起動時における触媒温度Ｔｓが低いほど、暖気完了時間Δｔ１を長くする構成としてもよい。
【００５７】
触媒燃焼器７０の暖機は完了したと判定した場合（Ｓ１０３・Ｙｅｓ）、ＥＣＵ９０の処理はステップＳ１０４に進む。一方、触媒燃焼器７０の暖機は完了していないと判定した場合（Ｓ１０３・Ｎｏ）、ＥＣＵ９０はステップＳ１０３の判定を繰り返す。
【００５８】
＜異常判定＞
ステップＳ１０４において、ＥＣＵ９０は、触媒部本体７２に装填された触媒が異常であるか否か判定する。
具体的には、ＥＣＵ９０は、例えば、（１）現在の触媒温度Ｔｓが触媒機能を好適に発揮する好適触媒温度Ｔｓ１未満である場合や、（２）暖機中における触媒温度Ｔｓの上昇率ΔＴｓが好適である好適上昇率ΔＴｓ１未満である場合、触媒が異常であると判定する。
触媒が異常であるとは、暖機完了時間Δｔ１が経過し、この時間的判断に基づいて、触媒燃焼器７０の暖機が完了していると判断しているにも関わらず（Ｓ１０３・Ｙｅｓ）、触媒表面が凍結又は触媒が劣化しているため、触媒がその機能を好適に発揮可能な温度に達してなく、触媒燃焼反応が良好に進行していない状態を意味する。なお、判定基準となる好適触媒温度Ｔｓ１や、好適上昇率ΔＴｓ１は、触媒の種類・担持量や、触媒部本体７２（ハニカム体等）の形状に関係し、事前試験等により求められ、ＥＣＵ９０に記憶されている。
【００５９】
触媒が異常であると判定した場合（Ｓ１０４・Ｙｅｓ）、ＥＣＵ９０は触媒表面が凍結、又は、触媒が劣化していると判定し、その処理はステップＳ１０５に進む。一方、触媒が異常でない、つまり、正常であると判定した場合（Ｓ１０４・Ｎｏ）、ＥＣＵ９０の処理はステップＳ１０９に進む。
【００６０】
＜燃料混合ガスの低減＞
ステップＳ１０５において、ＥＣＵ９０は、触媒燃焼器７０に供給される燃料混合ガスの流量を、一定（固定）流量にて低減する。これにより、多量の燃料混合ガス、特に水素が、触媒燃焼反応せずに触媒燃焼器７０を通り抜けることは防止される。
なお、低減する燃料混合ガスの流量は、事前試験等により求められる。その他、（１）現在の触媒温度Ｔｓと好適触媒温度Ｔｓ１との差が大きいほど、（２）今回の上昇率ΔＴｓと好適上昇率ΔＴｓ１との差が大きいほど、燃料混合ガスの流量を大きく低減する構成としてもよい。
【００６１】
具体的には、ＥＣＵ９０は、インジェクタ６２の開弁時間を短くし（及び／又は開弁する間隔を長くし）、水素の吐出量を低減すると共に、コンプレッサ３１の回転速度を下げ、空気の吐出量を低減する。
なお、燃料混合ガスの流量、つまり、水素及び空気の流量を低減する構成でもよいが、少なくとも水素の流量のみを低減する構成でもよい（図４、図５参照）。後記するステップＳ１０８においても同様である。
【００６２】
ステップＳ１０６において、ＥＣＵ９０は、ステップＳ１０５で燃料混合ガスの流量を低減した後、所定時間Δｔ２が経過したか否か判定する。
所定時間Δｔ２は、仮に触媒表面が凍結していた場合、ステップＳ１０５で燃料混合ガスの流量を低減しても、その後ある程度進行する触媒燃焼反応で生成する燃焼熱により、触媒表面が十分に解氷する時間に設定される。このような所定時間Δｔ２は、事前試験等により求められ、ＥＣＵ９０に記憶されている。
【００６３】
所定時間Δｔ２経過したと判定した場合（Ｓ１０６・Ｙｅｓ）、ＥＣＵ９０の処理はステップＳ１０７に進む。一方、所定時間Δｔ２経過していないと判定した場合（Ｓ１０６・Ｎｏ）、ＥＣＵ９０はステップＳ１０６の判定を繰り返す。
【００６４】
＜解氷判定＞
ステップＳ１０７において、ＥＣＵ９０は、触媒温度Ｔｓが、触媒表面が解氷したと判断される解氷温度Ｔｓ２以上であるか否か判定する。
解氷温度Ｔｓ２は、ある程度進行する触媒燃焼反応で生成する燃焼熱により、触媒表面が解氷したと判断可能な温度であって、前記した好適触媒温度Ｔｓ１よりも低く設定される。このような解氷温度Ｔｓ２は、事前試験等により求められ、ＥＣＵ９０に記憶されている。
【００６５】
触媒温度Ｔｓが解氷温度Ｔｓ２以上であると判定した場合（Ｓ１０９・Ｙｅｓ）、ＥＣＵ９０は、システム起動時に触媒表面は凍結していたが、現在解氷したと判定し、その処理はステップＳ１０９に進む。
一方、触媒温度Ｔｓが解氷温度Ｔｓ２以上でない場合（Ｓ１０９・Ｎｏ）、ＥＣＵ９０は、触媒は使用等により劣化していると判定し、その処理はステップＳ１０８に進む。
【００６６】
＜燃料混合ガスの低減＞
ステップＳ１０８において、ＥＣＵ９０は、触媒燃焼器７０に供給される燃料混合ガスの流量を、さらに一定（固定）流量にて低減する。これにより、燃料混合ガス、特に水素が、触媒燃焼反応せずに触媒燃焼器７０を通り抜けることは防止される。ただし、このように燃料混合ガスの流量をさらに低減しても、触媒燃焼反応は進行し、燃料電池スタック１０は緩やかに暖められる。
なお、低減する流量は、事前試験等により求められ、高濃度の水素が車外に排出されないように設定される。その他、触媒の劣化の程度に応じて、例えば、触媒温度Ｔｓと解氷温度Ｔｓ２との差が大きいほど、燃料混合ガスの流量を大きく低減する構成としてもよい。
【００６７】
＜通常モード＞
ステップＳ１０９において、ＥＣＵ９０は、触媒燃焼器７０（燃料電池システム１）を通常モードで運転させる。
具体的には、ＥＣＵ９０は、触媒燃焼器７０に燃料混合ガスを通常流量（ここでは暖機モードにおける流量と同量）で供給する。この他、このように通常モードに移行した場合において、多量の燃料混合ガスが触媒燃焼器７０をそのまま通り抜けない程度に、燃料混合ガスの流量を増加する構成としてもよい。
したがって、触媒が異常であると判定され（Ｓ１０４・Ｙｅｓ）、燃料混合ガスの流量を低減した後において（Ｓ１０５）、触媒表面が解氷したと判定され（Ｓ１０７・Ｙｅｓ）、通常モードに移行した場合（Ｓ１０９）、燃料混合ガスの流量制限が解除されることになる。
【００６８】
＜燃料電池スタックの暖機完了判定＞
ステップＳ１１０において、ＥＣＵ９０は、燃料電池スタック１０の暖機が完了したか否か判定する。
具体的には、温度センサ５２から入力される燃料電池スタックの温度Ｔｗが、暖機完了温度Ｔｗ１以上である場合、燃料電池スタック１０の暖機は完了したと判定される。暖機完了温度Ｔｗ１は、触媒燃焼器７０による暖機を終了しても、発電に伴う自己発熱により、燃料電池スタック１０の温度Ｔｗが好適に発電可能な温度（８０〜９０℃）に速やかに上昇可能な温度に設定される。
【００６９】
燃料電池スタック１０の暖機は完了したと判定した場合（Ｓ１１０・Ｙｅｓ）、ＥＣＵ９０の処理はステップＳ１１１に進む。一方、燃料電池スタック１０の暖機は完了していないと判定した場合（Ｓ１１０・Ｎｏ）、ＥＣＵ９０はステップＳ１１０の判定を繰り返す。
【００７０】
＜冷却モード＞
ステップＳ１１２において、ＥＣＵ９０は、触媒燃焼器７０（燃料電池システム１）を冷却モードで運転する。
具体的には、ＥＣＵ９０は、水素導入弁６１を閉じ、インジェクタ６２への水素供給を停止する。一方、空気は、水素供給の停止後も所定の掃気時間にて触媒燃焼器７０に供給する。これにより、触媒燃焼反応により生成し、触媒燃焼器７０内に残留する水蒸気や、未燃焼の水素が触媒燃焼器７０から押し出され、触媒燃焼器７０が掃気されると共に、通流する空気によって触媒燃焼器７０が冷却される。
【００７１】
＜発電準備＞
ステップＳ１１２において、ＥＣＵ９０は、燃料電池スタック１０を発電させるべく、その準備をする。
具体的に例えば、ＥＣＵ９０は、遮断弁２２を開き、アノード流路１１に水素を押し込み、アノード流路１１を水素に置換する。これに並行して、ＥＣＵ９０は、空気導入弁６３を閉じ、背圧弁３３を開き、カソード流路１２に押し込み、カソード流路を空気に置換する。そうすると、アノード、カソードにおける電極反応が進み、燃料電池スタック１０を構成する単セルのＯＣＶが上昇する。このような水素、空気の置換は、ＯＣＶが発電開始可能な所定ＯＣＶ以上になるまで継続される。
【００７２】
＜発電開始＞
ステップＳ１１３において、ＥＣＵ９０は、コンタクタ４３をＯＮし、アクセル等からの発電要求量に対応してＶＣＵ４２を制御し、燃料電池スタック１０から電流を取り出して、燃料電池スタック１０の発電を開始させる。
【００７３】
≪燃料電池システムの効果≫
このような燃料電池システム１によれば、次の効果を得る。
触媒燃焼器７０の暖機完了後において（Ｓ１０３・Ｙｅｓ）、触媒が異常である場合（Ｓ１０４・Ｙｅｓ）、その後の触媒温度Ｔｓに基づいて、触媒表面が凍結していたので異常であったのか（Ｓ１０７・Ｙｅｓ）、触媒が劣化していたので異常であったのか（Ｓ１０７・Ｎｏ）、適切に判断できる。
【００７４】
また、触媒が異常である場合（Ｓ１０４・Ｙｅｓ）、一旦、燃料混合ガスの流量を低減するので（Ｓ１０５）、特に水素の車外への排出を防止しつつ、触媒表面が凍結しているか、又は、触媒が劣化しているかを正確に判定できる。
なぜなら、触媒表面が凍結している場合、燃料混合ガスの流量を低減すると、触媒燃焼反応による燃焼熱が減少するものの、この燃焼熱により解氷し、徐々に触媒温度Ｔｓが上昇するからである。一方、触媒が劣化している場合、燃料混合ガスの流量を低減すると、触媒燃焼反応による燃焼熱が減少した後、触媒温度Ｔｓがその後に上昇しないからである。
【００７５】
さらに、燃料混合ガスの流量を低減した後において（Ｓ１０５）、触媒表面が解氷した、つまり、触媒は劣化していないと判定した場合（Ｓ１０７・Ｙｅｓ）、燃料混合ガスを通常に供給（Ｓ１０９）、つまり、燃料混合ガスの流量制限を解除するので、その後、燃焼熱を増加させ、速やかに燃料電池スタック１０を暖めることができる。
【００７６】
さらにまた、燃料混合ガスの流量を低減した後において（Ｓ１０５）、触媒は劣化していると判定した場合（Ｓ１０７・Ｎｏ）、さらに燃料混合ガスの流量を低減するので、高濃度の水素が車外に排出されることを防止しつつ、燃料電池スタック１０を暖めることができる。
【００７７】
≪燃料電池システムの動作例≫
次に、燃料電池システム１の動作例を説明する。
【００７８】
＜触媒：正常＞
まず、図３を参照して、触媒が正常であるケースを説明する。
燃料混合ガスの供給開始（Ｓ１０２）から暖機完了時間Δｔ１経過し、触媒燃焼器７０の暖機完了後（Ｓ１０３・Ｙｅｓ）における触媒温度Ｔｓが、好適触媒温度Ｔｓ１以上であるので（Ｓ１０４・Ｎｏ）、通常モード（Ｓ１０９）に移行する。その後、燃料電池スタック１０の温度Ｔｗが暖機完了温度Ｔｗ１に到達すると（Ｓ１１０・Ｙｅｓ）、燃料電池スタック１０の暖機を完了した後、触媒燃焼器７０を冷却・掃気する。
【００７９】
＜触媒：凍結→解氷＞
次に、図４を参照して、触媒表面の凍結が解氷するケースを説明する。
触媒燃焼器７０の暖機完了後（Ｓ１０３・Ｙｅｓ）における触媒温度Ｔｓが、好適触媒温度Ｔｓ１未満であるので（Ｓ１０４・Ｙｅｓ）、触媒が異常であると判定され、水素流量が低減される（Ｓ１０５）。そして、所定時間Δｔ２経過後（Ｓ１０６・Ｙｅｓ）における触媒温度Ｔｓが解氷温度Ｔｓ２以上であるので（Ｓ１０７・Ｙｅｓ）、触媒表面は解氷したと判定され、通常モード（Ｓ１０９）に移行し、水素流量の制限が解除される。
【００８０】
＜触媒：劣化＞
次に、図５を参照して、触媒が劣化しているケースを説明する。
触媒燃焼器７０の暖機完了後（Ｓ１０３・Ｙｅｓ）における触媒温度Ｔｓが、好適触媒温度Ｔｓ１未満であるので（Ｓ１０４・Ｙｅｓ）、触媒が異常であると判定され、水素流量が低減される（Ｓ１０５）。そして、所定時間Δｔ２経過後（Ｓ１０６・Ｙｅｓ）における触媒温度Ｔｓが解氷温度Ｔｓ２未満であるので（Ｓ１０７・Ｎｏ）、触媒は劣化していると判定され、水素流量はさらに低減される（Ｓ１０８）。
【００８１】
以上、本発明の一実施形態について説明したが、本発明はこれに限定されず、本発明の趣旨を逸脱しない範囲で、例えば次のように変更することができる。
前記した実施形態では、燃料混合ガスの供給開始後、暖機完了時間Δｔ１経過した場合、触媒燃焼器７０の暖機が完了したと判定する構成としたが、その他に例えば、燃料混合ガスの供給開始後、触媒燃焼器７０への燃料混合ガスの積算流量が、所定積算流量となった場合、暖機は完了したと判定する構成としてもよい。
【００８２】
前記した実施形態では、触媒が異常であり（Ｓ１０４・Ｙｅｓ）、所定時間Δｔ２経過した後において（Ｓ１０６・Ｙｅｓ）、触媒温度Ｔｓが解氷温度Ｔｓ２以上である場合（Ｓ１０７・Ｙｅｓ）、当初凍結していた触媒表面が解氷、つまり、触媒は劣化していないと判定する構成としたが、その他に例えば、ステップＳ１０５で燃料混合ガスを低減した後、所定時間Δｔ２経過前であっても、触媒温度Ｔｓが上昇した場合、触媒表面が解氷、つまり、触媒は劣化していないと判定する構成としてもよい。この場合において、誤判定を防止するべく、複数回判定する構成としてもよい。
因みに、触媒が劣化している場合において、燃料混合ガスを低減すると、触媒温度Ｔｓは顕著に低下してしまう。
【００８３】
前記した実施形態では、燃料混合ガスを触媒燃焼反応させる触媒部７１と、冷媒と熱交換する熱交換部７６とが一体である触媒燃焼器７０を例示したが、触媒部７１と熱交換部７６とが別体の構成でもよい。
【００８４】
前記した実施形態では、燃料混合ガスが水素と酸素を含む空気とが混合されてなる構成を例示したが、燃料混合ガスの組成はこれに限定されない。
また、燃料電池スタック１０及び触媒燃焼器７０の燃料ガス源、空気源が、水素タンク２１、コンプレッサ３１を共有する構成を例示したが、例えば、触媒燃焼器７０用に別の水素タンク、酸素タンクを備える構成でもよい。
【００８５】
前記した実施形態では、燃料電池システム１が燃料電池自動車に搭載された場合を例示したが、その他に例えば、自動二輪車、列車、船舶に搭載された燃料電池システムでもよい。また、家庭用の据え置き型の燃料電池システムや、給湯システムに組み込まれた燃料電池システムに、本発明を適用してもよい。
【図面の簡単な説明】
【００８６】
【図１】本実施形態に係る燃料電池システムの構成を示す図である。
【図２】本実施形態に係る燃料電池システムの動作を示すフローチャートである。
【図３】本実施形態に係る燃料電池システムの一動作例を示すタイムチャートであり、触媒が正常であるケースを示す。
【図４】本実施形態に係る燃料電池システムの一動作例を示すタイムチャートであり、凍結する触媒が解氷したケースを示す。
【図５】本実施形態に係る燃料電池システムの一動作例を示すタイムチャートであり、触媒が劣化しているケースを示す。
【符号の説明】
【００８７】
１      燃料電池システム
１０    燃料電池スタック（燃料電池）
１１    アノード流路（燃料ガス流路）
１２    カソード流路（酸化剤ガス流路）
１３    冷媒流路
３１    コンプレッサ（流量制御手段）
５１    冷媒ポンプ（冷媒通流手段）
５１ａ、５１ｂ、５２ａ  配管（冷媒通流手段）
６２    インジェクタ（流量制御手段）
７０    触媒燃焼器
７１    触媒部
７３    温度センサ（温度検出手段）
７６    熱交換部
９０    ＥＣＵ（暖機完了判定手段、異常判定手段、劣化判定手段、流量制御手段）
Ｔｗ    燃料電池スタックの温度
Ｔｗ０  暖機必要温度
Ｔｗ１  暖気完了温度
Ｔｓ    触媒温度
Ｔｓ１  好適触媒温度
Ｔｓ２  解氷温度
【図１】
2010080278.tif 000003
【図２】
2010080278.tif 000004
【図３】
2010080278.tif 000005
【図４】
2010080278.tif 000006
【図５】
2010080278.tif 000007